(57)【要約】      （修正有）【課題】安定して、確実につぼを押圧出来る指圧用具を提供する。【解決手段】指圧用具は、高反撥ボールと低反撥ウレタンを使用し、直径約５〜９ｃｍの２個の第一ボールを中心間距離が約８〜１０ｃｍ離して台布に取り付け、直径約３〜７ｃｍの複数の対の第二ボールを中心間距離が該第一ボールの中心間距離と同じとし、第一ボールの下方に直線状に２〜５段台布に取り付け、第一ボールと第二ボールとの間で折れ曲がりが可能な折曲部を設けたことを特徴とする。【選択図】図１
0003156253.tif 000002
【実用新案登録請求の範囲】
【請求項１】
ボールを使った指圧用具において、直径約５〜９ｃｍの２個の第一ボールを中心間距離が約８〜１０ｃｍ離して台布に取り付け、直径約３〜７ｃｍの複数の対の第二ボールを中心間距離が該第一ボールの中心間距離と同じとし、該第一ボールの下方に直線状に２〜５段台布に取り付け、該第一ボールと該第二ボールとの間で折れ曲がりが可能な折曲部を設けたことを特徴とする指圧用具。
【請求項２】
請求項１に記載の指圧用具において、第一及び第二のボールを高反撥ボールで構成し、第一のボールの配置位置を含む周辺部と第二のボールの配置位置を含む周辺部とに、別々の低反撥ウレタンを配置することを特徴とする指圧用具。
【請求項３】
請求項１及び請求項２に記載の指圧用具において、該第二のボール側の端部に紐を取り付けたことを特徴とする指圧用具。
【考案の詳細な説明】
【技術分野】
【０００１】  本考案は、椅子の背もたれに掛けて折り曲げ、ずれることがなく、安定した状態で確実にツボを押圧することが出来る、多機能な指圧用具に関する。
【背景技術】
【０００２】  従来の指圧用具の材質は、木や、プラスチック、等硬いものや、チップや、空気などを利用したものがあるが、いずれも、指圧球を任意に並べてあり、確実に背骨の両側のツボを、押圧出来るものではない。
【先行技術文献】
【特許文献】
【０００３】
【特許文献１】特開２００７−６８５９５号広報
【特許文献２】特開２０００−１８５０６３号広報
【特許文献３】登録実用新案３０２０９３５号広報
【特許文献４】登録実用新案３０４３１０３号広報
【考案の概要】
【考案が解決しようとする課題】
【０００４】  従来の指圧用シートやマットは複数の指圧球を任意に並べたもので、床やベッドの上に敷いてその上に寝て使用したり、椅子に置いて腰掛けて使用するもので、文献１、文献３、文献４、は目的のツボを確実に押圧することは出来ない。又、文献２、は背骨矯正腰あて枕で、腰椎の場所だけに当てるので、より背骨が反り返り、腰椎のアーチがきつくなり、アーチの内側の椎間板が狭くなって神経を圧迫し、痛みが出る恐れがある。【０００５】  本考案は上記問題点を解決し、安全に、確実に背骨の両側のツボを押圧して指圧効果があり、寝ても、椅子に腰掛けても、車に乗ったときも使用できる多機能の指圧用具を開発することを課題とした。
【課題を解決するための手段】
【０００６】  上記課題を解決するために本考案の多機能指圧用具は、主に背中のツボを押圧するための、クッションの形態をしており、直径が約５〜９ｃｍの２個の第一ボールを中心間距離が約８〜１０ｃｍ離して台布に固定し、その下方に、直径が約３〜７ｃｍの複数の対の第二ボールを該第一ボールの中心間距離と同じくし、該第一ボールの下方に直線状に２〜５段台布に取り付けた。そして、指圧球がツボから外れないように、クッションを安定させるため、該第一ボールと該第二ボールとの間で折れ曲がるようにして、椅子の背もたれに掛けて、該第一ボールを重りとし、ずれないように安定させた。
【考案の効果】
【０００７】  本考案の多機能指圧用具はすべて、弾力性のある素材で出来ており、低反撥のウレタンの沈み込む力と、高反撥ボールの跳ね返す力の組み合わせを利用して、指圧効果を高めた大変心地よい指圧用具で、該第一ボールの２個のボールの中心間距離と該第二ボールの２個のボールの中心間距離を同じにすることにより、ボールの直径が異なっても、ボールの数が増えても背骨の両側の一定のツボの位置を確実に押圧することが出来る。【０００８】  請求項１、請求項２、及び、請求項３に記載の指圧用具の使用方法において、床、又は、硬めのふとんの上に置き、該第一ボールを枕にして頭が下がらないように、首を安定した角度に保ちながら、該第二ボールで背中のツボを押圧する、首すじと背中のツボを同時に押圧できる、寝ながら使用する枕つき指圧用具となる。【０００９】  椅子の背もたれに掛けて、該第一ボールと該第二ボールの間で折り曲げ、該第一ボールが重りになり、クッションが落ちたり、ずれたりすることがなく、安定して背中のツボを押圧出来る使い心地の良い指圧用具になった。【００１０】  該第一ボールを腰に当て、該第二ボールを背中のツボに当てて、腰と背中のツボを同時に押圧できる指圧用具で、該第二ボール側の端部に紐を取り付けて、車のヘッドレストに取り付け、車の揺れを利用してコリを揉み解すことができる、大変心地よいマッサージ効果のある車用指圧用具になった。上記のように多種の機能性を持ち、確実に背骨の両側のツボを押圧することができる、多機能な指圧クッションである。
【図面の簡単な説明】
【００１１】
【図１】平面図  寝て使用する時は、第一ボールが枕になる。
【図２】椅子に掛けた時  第一ボールは重りになる。
【図３】椅子に掛けた時  第一ボールを腰にあて腰の指圧が出来る
【図４】車のシートに取り付けたとき
【図５】断面図
【考案を実施するための形態】
【００１２】  以下、実施例に基つき、本考案を実施するための形態を、図面を参照しつつ詳細に説明する。
【実施例】
【００１３】  実施例１では、第一ボールは、直径約７ｃｍの硬質テニスボールを使用した。第二ボールは、直径約５ｃｍの高反撥ボールを４個使用した。【００１４】  横約２５ｃｍ、縦約７０ｃｍの布を２枚重ねた台布の間に、該第一ボールを２個、中心間距離が約８〜１０ｃｍ離して台布の上端から５ｃｍの位置に固定した。該第二ボールを２個、中心間距離が約８〜１０ｃｍ離して、下端から５ｃｍの位置に固定した。真ん中の２個のボールは該第一ボールに頭を乗せた時、肩甲骨の間ぐらいになる位置がのぞましい。図１参照【００１５】  台布にボールを固定する方法は二枚の台布のボールを入れる位置を袋状に縫い、ボールを入れて閉じ２個のボールの間隔が中心間距離が約８〜１０ｃｍになるように固定した。【００１６】  台布は、約横３５ｃｍ、縦７０ｃｍのフリースの裏布に動かないように、しっかりと、取り付けた。【００１７】  裏布と同寸法の表布を被せ、中表にして、スポンジを入れる入り口を約２５ｃｍ位残して、周りを縫い、表に返した。【００１８】  スポンジのサイズは、横約３３ｃｍ、縦約２５ｃｍのもの符号６と、横約３３ｃｍ、縦約４０ｃｍのもの符号７を用意する。該第一ボールの下に符号６のスポンジを入れ該第二ボールの下に符号７のスポンジを入れた。スポンジとスポンジの間が約５ｃｍ足らず開くことになる。図５を参照。符号６のスポンジの際を台布と２枚の裏布を合わせて縫い、スポンジを固定した。符号７のスポンジの際も台布と２枚の裏布をあわせて縫い、スポンジを固定した。図５参照【００１９】  スポンジを入れる口を閉じた。【００２０】  車用に使用する場合は、第二ボール側の端部に紐を取り付けた。図４参照
【符号の説明】
【００２１】１  第一ボール
２  第二ボール
３  台布
４  紐
５  裏布
６  表布
７  スポンジ
８  スポンジ
【図１】
0003156253.tif 000003
【図２】
0003156253.tif 000004
【図３】
0003156253.tif 000005
【図４】
0003156253.tif 000006
【図５】
0003156253.tif 000007
【手続補正書】
【提出日】平成21年10月14日(2009.10.14)
【手続補正１】
【補正対象書類名】実用新案登録請求の範囲
【補正対象項目名】全文
【補正方法】変更
【補正の内容】
【実用新案登録請求の範囲】
【請求項１】
ボールを使った指圧用具において、直径約５〜９ｃｍの２個の第一ボールを中心間距離が約８〜１０ｃｍ離して台布に取り付け、直径約３〜７ｃｍの複数の対の第二ボールを中心間距離が該第一ボールの中心間距離と同じとし、該第一ボールの下方に直線状に２〜５段台布に取り付け、該第一ボールと該第二ボールとの間で折れ曲がりが可能な折曲部を設けたことを特徴とする指圧用具。
【請求項２】
請求項１に記載の指圧用具において、第一及び第二ボールを高反撥ボールで構成し、第一ボールの配置位置を含む周辺部と第二ボールの配置位置を含む周辺部とに、別々の低反撥ウレタンを配置することを特徴とする指圧用具。                
【請求項３】
請求項１または請求項２に記載の指圧用具において、該第二ボール側の端部に紐を取り付けたことを特徴とする指圧用具。